(57)【要約】【課題】器具と形象体の一体感を増すようにし、該形象体が両手で器具に対してぶら下がっているかのように見せることによって使用者の趣向を高めることができるストラップを提供することを課題とする。【解決手段】器具などに取付ける形象体を有するストラップであって、前記形象体の一方の片腕端部には環状の組紐を有し、他方の片腕端部には接合部を有し、前記接合部には、一組の接合手段を設けた。【選択図】図１
0003108342.tif 000002
【実用新案登録請求の範囲】
【請求項１】
器具などに取付ける形象体を有するストラップであって、前記形象体の一方の片腕端部には環状の組紐を有し、他方の片腕端部には接合部を有し、前記接合部には、一組の接合手段が設けられ、前記一組の接合手段の中間で接合部を折り返して両接合手段を接合させ、前記環状の組紐を他方の腕部先端に結合させることができるようしたことを特徴としたストラップ。
【請求項２】
請求項１において、前記各接合手段は、面ファスナー又はスナップボタンとしたことを特徴としたストラップ。
【請求項３】
請求項１において、前記各接合手段は、環状のリングと、前記リングに鉤止するフックとしたことを特徴としたストラップ。
【請求項４】
請求項１乃至３のいずれかにおいて、前記形象体は、動物を模して形成したことを特徴としたストラップ。
【考案の詳細な説明】
【技術分野】
【０００１】
本考案は、器具などに取付けるストラップに関するものである。
【背景技術】
【０００２】
従来、携帯電話機用のストラップは、特開２０００−２３６３７１号公報「携帯電話機用ストラップと携帯電話装置」のように、形象体の頭部から器具に取付ける組紐が設けられ、組紐を携帯電話装置などの器具における係止部に通すようにして器具に取付けられるように設けられていた。このため、器具と形象体の間があき、器具との一体感が損なわれるものであった。そこで、器具と形象体の一体感が増すストラップが求められていた。
【特許文献１】特開２０００−２３６３７１号公報
【考案の開示】
【考案が解決しようとする課題】
【０００３】
そこで、本考案は、上記従来技術の問題点に斯かる実情に鑑みなされたもので、器具と形象体の一体感を増すようにし、該形象体が両手で器具に対してぶら下がっているかのように見せることによって使用者の趣向を高めることができるストラップを提供することを課題とする。
【課題を解決するための手段】
【０００４】
請求項１記載の本考案は、器具などに取付ける形象体を有するストラップであって、前記形象体の一方の片腕端部には環状の組紐を有し、他方の片腕端部には接合部を有し、前記接合部には、一組の接合手段が設けられ、前記一組の接合手段の中間で接合部を折り返して両接合手段を接合させ、前記環状の組紐を他方の腕部先端に結合させることができるようしたことを特徴とする。
【０００５】
請求項２記載の本考案は、請求項１において、前記各接合手段は、面ファスナー又はスナップボタンとしたことを特徴とする。
【０００６】
請求項３記載の本考案は、請求項１において、前記各接合手段は、環状のリングと、前記リングに鉤止するフックとしたことを特徴とする。
【０００７】
請求項４記載の本考案は、請求項１乃至３のいずれかにおいて、前記形象体は、動物を模して形成したことを特徴とする。
【考案の効果】
【０００８】
請求項１記載の考案によれば、形象体の一方の片腕端部に設けられた環状の組紐を器具の取付け穴に通した後、形象体の他方の片腕端部に設けられた接合部を該環状の組紐に通し、該接合部の中央から折り返して各々の接合手段同士を接合することにより、ストラップを器具に装着することができる。このことによって、器具と形象体の一体感を増すようにし、該形象体が両手で器具に対してぶら下がっているかのように見せることによって使用者の趣向を高めることができるストラップとすることができる。
【０００９】
請求項２記載の考案によれば、ループ面とフック面からなる面ファスナーや、凹部及び凸部からなるスナップボタンにすることによって、容易に接合手段を接合可能にすると共に、脱着する際にも容易に脱着可能とすることができる。
【００１０】
請求項３記載の考案によれば、環状のリングと、前記リングに鉤止するフックにすることによって、容易に接合手段を接合可能とすることができる。
【００１１】
請求項４記載の考案によれば、前記形象体は動物を模して形成することによって、使用者に対して趣向の高いストラップを提供することができる。
【考案を実施するための最良の形態】
【００１２】
器具などに取付ける形象体を有するストラップであって、前記形象体の一方の片腕端部には環状の組紐を有し、他方の片腕端部には接合部を有し、前記接合部には、一組の接合手段を設け、前記形象体は、動物を模して形成する。
【００１３】
また前記各接続手段は、面ファスナー又はスナップボタン並びに、環状のリングと前記リングに鉤止するフックのいずれかで構成する。
【実施例１】
【００１４】
図１を用いて、本考案のストラップの説明を行う。ストラップ１０は、形象体で形成されている。実施の例では、ストラップ１０は、パンダを模して形成されている。またストラップ１０（形象体）は、パンダに限定されずキャラクター・動物・ロボットなどの両腕を有する形象体を模して形成するのが望ましい。
【００１５】
ストラップ１０は、胴部１２、腕部１４、手１６、脚部１８、足部２０で構成されている。胴部１２、手１６、足部２０は、中に綿などを詰めたぬいぐるみとして形成されている。また、腕部１４及び、脚部１８は、紐状に形成されている。
【００１６】
胴部１２は、形象体の頭及び胴を模した形状となっており、胴部１２上方の正面には、目、鼻、口の刺繍などを施すと共に、アップリケなどが縫いつけられている。また、胴部１２の中間両側には２つの腕部１４、胴部１２の下方には２つの脚部１６が縫いつけられている。両方の腕部１４の先端には、各々手１６が縫いつけられている。一方の手１６の先端部には、環状の組紐２２が設けられている。また、もう一方の手は、接合部２４となっており、該接合部２４は、楕円状に形成されている。この接合部２４は、中央で折り返すことのできる大きさ及び厚さとし、折り返し部を挟んで２つの接合手段２６を一組とするようにして設けている。
【００１７】
接合手段２６は、この実施例では、一方が凹部、他方が凸部となるスナップボタンとなっている。また接合手段２６として、接合部の端部にボタンホールを設け、他の端部にボタンを設けて接合するようにしても良いし、ループ面とフック面からなる面ファスナーを用いて接合するようにしても構わない。そして、一方にマルカン（環状のリング）、他方にカニカン（フック）や引き輪を設け、該マルカンにカニカンや引き輪によって鉤止するようにしても構わない。さらに、接合部２４にネジ穴を形成し、ネジ止めするようにしても構わない。実施の例のようにスナップボタンを用いた場合や、面ファスナーを用いた場合には、接合手段２６の接合及び脱着が容易に行えるようになっている。
【００１８】
また接合部２４は、その中央より折り返して接合手段２６同士を接合することができるようになっている。この接合部２４を折り返しした際の接合部２４の大きさと、組紐２２が設けられた手１６の大きさが、ほぼ同一になるようにすることが望ましい。実施例では、接合部２４の面積は、組紐２２が設けられた手１６のおおよそ２倍となっている。
【００１９】
なお、各脚部１８の先端には、足部２０が縫いつけられている。
【００２０】
図２を用いて、ストラップ１０の取付け方法の説明を行う。図２（Ａ）に示すように、器具などのストラップ取付け穴に形象体１０の一方の手１６の端部に設けられた環状の組紐２２を通した後、次に図２（Ｂ）に示すように形象体１０の他方の手１６（接合部２４）を該環状の組紐２２に通し、図２（Ｃ）に示すように該接合部２４の中央から折り返して各々の接合手段２６同士を接合することにより、ストラップ１０を器具に装着することができる。
【００２１】
上述のように器具にストラップ１０を取付けることによって、図３に示すように該ストラップ１０（形象体）が恰も器具に両手でぶら下がっているかのように見せることでき、従来のストラップの取付け方法と異なった取付けを行うことができるようになっている。
【００２２】
この以上説明したように構成することにより、該形象体が器具に対してぶら下がっているかのように見せることによって、器具と形象体の一体感が増すようにし、使用者の趣向を高めることができるストラップを提供することができる。また、好ましい実施例を挙げて本考案を説明したが、本考案はその実施例に限定されるものではなく、実用新案登録請求の範囲に記載した技術的範囲内で種々に改変できる。
【００２３】
例えば、実施例の胴部１２は、頭部及び胴を模して形成されているが、頭部及び胴部の他に脚部及び足部を加えて模して形成しても良い。
【図面の簡単な説明】
【００２４】
【図１】本考案の一実施例であるストラップの外形を示す図である。
【図２】本考案の一実施例であるストラップの器具への取付けを示す図である。
【図３】本考案の一実施例であるストラップの使用例示す図である。
【符号の説明】
【００２５】
１０    ストラップ（形象体）
１２    胴部
１４    腕部
１６    手
１８    脚部
２０    足部
２２    組紐
２４    接合部
２６    接合手段
【図１】
0003108342.tif 000003
【図２】
0003108342.tif 000004
【図３】
0003108342.tif 000005